【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
第１のトランジスタからｎ個（ｎは自然数、２≦ｎ）の第２のトランジスタへ映像信号を与える第１のステップと、
前記第２のトランジスタのそれぞれに接続したｎ個（ｎは自然数、２≦ｎ）の第１の発光素子の少なくとも一を、前記映像信号によって発光状態または非発光状態とする第２のステップと、
を有し、
前記第２のステップにおいて、白色を呈する第２の発光素子を発光状態にするステップを含む
ことを特徴とする発光装置の駆動方法。
【請求項２】
第１のトランジスタからｎ個（ｎは自然数、２≦ｎ）の第２のトランジスタへ映像信号を与える第１のステップと、
前記第２のトランジスタのそれぞれに接続したｎ個（ｎは自然数、２≦ｎ）の発光素子の少なくとも一を、前記映像信号によって発光状態または非発光状態とする第２のステップと、
を有し、
前記第２のステップにおいて、視覚的に混合された発光が白色となるように少なくとも二以上の前記発光素子を発光状態にするステップを含む
ことを特徴とする発光装置の駆動方法。
【請求項３】
第１のトランジスタに映像信号を入力する第１のステップと、
前記第１のトランジスタからゲート電極が互いに電気的に接続したｎ個（ｎは自然数、２≦ｎ）の第２のトランジスタに前記映像信号を与える第２のステップと、
それぞれ異なる発光色を呈し、少なくとも一個は白色を呈するｎ個の発光素子の中のｍ（ｍは自然数、１≦ｍ≦ｎ）番目の前記発光素子に含まれる第１の電極と電気的に接続しているｍ番目の電流供給線と、
前記ｍ番目の発光素子に含まれる第２の電極と電気的に接続しているｍ＋１番目の電流供給線もしくは電源と、
の間に電位差を生じさせる第３のステップと
を繰り返し、
ｎ個の前記発光素子を順次発光させるときに、
白色を呈する前記発光素子を発光させるステップを含む
ことを特徴とする発光装置の駆動方法。
【請求項４】
第１のトランジスタを介してゲート電極が互いに電気的に接続した第２のトランジスタＡおよび第２のトランジスタＢに映像信号を与え、
第２のトランジスタＡに電気的に接続した発光素子Ａにおいて、前記発光素子Ａが有する第１の電極と第２の電極との間に第１の電位差を生じさせることにより、前記発光素子Ａを発光させ、
第２のトランジスタＢに電気的に接続した発光素子Ｂにおいて、前記発光素子Ｂが有する第１の電極と第２の電極との間に第２の電位差を生じさせることにより、前記発光素子Ｂを発光させ、
前記発光素子Ａおよび前記発光素子Ｂを順に発光させ、それぞれの発光素子からの発光色が視覚的に混合されることによって、白色を発光させる
ことを特徴とする発光装置の駆動方法。
【請求項５】
第１のトランジスタを介してゲート電極が互いに電気的に接続した第２のトランジスタＡおよび第２のトランジスタＢに映像信号を与え、
第２のトランジスタＡに電気的に接続した発光素子Ａにおいて、前記発光素子Ａが有する第１の電極と第２の電極との間に第１の電位差を生じさせることにより、前記発光素子Ａを発光させ、
第２のトランジスタＢに電気的に接続した発光素子Ｂにおいて、前記発光素子Ｂが有する第１の電極と第２の電極との間に第２の電位差を生じさせることにより、前記発光素子Ｂを発光させ、
前記発光素子Ａ、前記発光素子Ｂのいずれか一の発光素子が白色を呈する発光をする
ことを特徴とする発光装置の駆動方法。
【請求項６】
請求項４または請求項５に記載の発光装置の駆動方法において、
前記発光素子Ａ、前記発光素子Ｂはそれぞれ、異なる発光色の発光を呈することを特徴とする発光装置の駆動方法。
【請求項７】
請求項４乃至請求項６のいずれか一項に記載の発光装置の駆動方法において、
前記発光素子Ａと前記発光素子Ｂは積層されていることを特徴とする発光装置の駆動方法。
【請求項８】
ゲート信号線と、
ソース信号線と、
第１のトランジスタと、
電流供給線Ａと、電流供給線Ｂと、
第２のトランジスタＡと、第２のトランジスタＢと、
発光素子Ａと、発光素子Ｂと、
を有し、
前記第１のトランジスタのゲート電極は前記ゲート信号線と電気的に接続し、
前記第１のトランジスタの第１の電極は前記ソース信号線と電気的に接続し、
前記第１のトランジスタの第２の電極は前記第２のトランジスタＡのゲート電極と電気的に接続し、
前記第２のトランジスタＡのゲート電極は前記第２のトランジスタＢのゲート電極と電気的に接続し、
前記発光素子Ａの第１の電極は前記第２のトランジスタＡを介して前記電流供給線Ａと電気的に接続し、
前記発光素子Ｂの第１の電極は前記第２のトランジスタＢを介して前記電流供給線Ｂと電気的に接続し、
前記発光素子Ａと前記発光素子Ｂは直列に接続しており、
前記発光素子Ａ、前記発光素子Ｂのいずれか一の発光素子が白色の発光を呈する
ことを特徴とする発光装置。
【請求項９】
ゲート信号線と、
ソース信号線と、
第１のトランジスタと、
電流供給線Ａと、電流供給線Ｂと、
第２のトランジスタＡと、第２のトランジスタＢと、
発光素子Ａと、発光素子Ｂと、
を有し、
前記第１のトランジスタのゲート電極は前記ゲート信号線と電気的に接続し、
前記第１のトランジスタの第１の電極は前記ソース信号線と電気的に接続し、
前記第１のトランジスタの第２の電極は前記第２のトランジスタＡのゲート電極と電気的に接続し、
前記第２のトランジスタＡのゲート電極は前記第２のトランジスタＢのゲート電極と電気的に接続し、
前記発光素子Ａの第１の電極は前記第２のトランジスタＡを介して前記電流供給線Ａと電気的に接続し、
前記発光素子Ｂの第１の電極は前記第２のトランジスタＢを介して前記電流供給線Ｂと電気的に接続し、
前記発光素子Ａと前記発光素子Ｂは直列に接続しており、
前記発光素子Ａおよび前記発光素子Ｂからの発光色が視覚的に混合されることによって、白色の発光を呈する
ことを特徴とする発光装置。
【請求項１０】
請求項８または請求項９に記載の発光装置において、
前記発光素子Ａ、前記発光素子Ｂはそれぞれ、異なる発光色の発光を呈することを特徴とする発光装置。
【請求項１１】
請求項８乃至請求項１０のいずれか一項に記載の発光装置において、
前記発光素子Ａと前記発光素子Ｂは積層されていることを特徴とする発光装置。
【請求項１２】
ゲート信号線と、
ソース信号線と、
ｎ（ｎは自然数、２≦ｎ）本の電流供給線と、
電源と、
映像信号の入力を制御する第１のトランジスタと、
前記電流供給線からの電流の供給を制御するｎ個の第２のトランジスタと、
発光色がそれぞれ異なるｎ個の発光素子と、
を有し、
前記第１のトランジスタのゲート電極は前記ゲート信号線と電気的に接続し、
前記第１のトランジスタの第１の電極は前記ソース信号線と電気的に接続し、
前記第１のトランジスタの第２の電極は前記第２のトランジスタのゲート電極と電気的に接続し、
ｍ（ｍは自然数、１≦ｍ≦ｎ−１）番目の前記発光素子において、第１の電極はｍ番目の前記第２のトランジスタを介してｍ番目の前記電流供給線と電気的に接続し、第２の電極はｍ＋１番目の前記第２のトランジスタを介してｍ＋１番目の前記電流供給線と電気的に接続し、
ｎ番目の前記発光素子において、第１の電極はｎ番目の前記第２のトランジスタを介してｎ番目の前記電流供給線と電気的に接続し、第２の電極は前記電源と電気的に接続している
ことを特徴とする発光装置。
【請求項１３】
請求項１２に記載の発光装置において、
容量線を有し、
前記容量線と、前記第２のトランジスタのゲート電極との間に、
容量素子を含む
ことを特徴とする発光装置。
【請求項１４】
請求項１２または請求項１３に記載の発光装置において、
前記発光素子の一が白色の発光を呈するものである
ことを特徴とする発光装置。
【請求項１５】
発光素子の電極と発光層とが交互に積層した層と、
複数の駆動用トランジスタと、
複数の電流供給線と
を含み、
前記発光素子の電極はそれぞれ、
それぞれ異なる前記駆動用トランジスタを介して、それぞれ異なる前記電流供給線に電気的に接続している
ことを特徴とする発光装置。
【請求項１６】
請求項１５に記載の発光装置において、前記発光素子は、少なくとも一層、白色を発光する発光層を含むことを特徴とする発光装置。
【請求項１７】
請求項８乃至請求項１６のいずれか一項に記載の発光装置を表示部に用いていることを特徴とする電子機器。